(57)【要約】【課題】高いシール性を確保しつつ操作性に優れたキャップ付きコネクタを提供すること。【解決手段】キャップ付きコネクタ１０は、相手コネクタの端子金具と接続される端子金具を収容するキャビティ部２５を有する筒状のフード部２３を備えたコネクタハウジング２０と、コネクタハウジング２０のフード部２３に装着されてキャビティ部２５を覆う弾性材料から形成されたキャップ５０と、を備える。キャップ５０は、周縁部に全周にわたって形成された把持部５３を有する。【選択図】図２
2019185916.tif 000002
【特許請求の範囲】
【請求項１】
相手コネクタの端子金具と接続される端子金具を収容するキャビティ部を有する筒状のフード部を備えたコネクタハウジングと、
前記コネクタハウジングの前記フード部に装着されて前記キャビティ部を覆う弾性材料から形成されたキャップと、を備え、
前記キャップは、周縁部に全周にわたって形成された把持部を有する
ことを特徴とするキャップ付きコネクタ。
【請求項２】
前記キャビティ部は、筒状に突設され、
前記キャップは、前記キャビティ部が嵌合される筒状リブを有する
ことを特徴とする請求項１に記載のキャップ付きコネクタ。
【請求項３】
前記筒状リブの内周面には、長手方向に沿って形成されて前記キャビティ部の外周面に弾性変形して密着する複数のリップ部が周方向へ等間隔に設けられている
ことを特徴とする請求項２に記載のキャップ付きコネクタ。
【請求項４】
前記キャビティ部は、中央キャビティ部と、前記中央キャビティ部の周囲に設けられた外周キャビティ部とから構成され、
前記筒状リブは、前記中央キャビティ部が嵌合される中央筒状リブと、前記外周キャビティ部が嵌合される外周筒状リブとから構成され、
前記中央筒状リブが前記外周筒状リブよりも突出されている
ことを特徴とする請求項２または請求項３に記載のキャップ付きコネクタ。
【請求項５】
前記把持部は、外周へ向かって次第に前記コネクタハウジングから離間する方向へ傾斜され、
前記キャップの下部には、前記把持部に形成された水抜き孔を有する
ことを特徴とする請求項１〜請求項４のいずれか一項に記載のキャップ付きコネクタ。
【発明の詳細な説明】
【技術分野】
【０００１】
本発明は、キャップ付きコネクタに関する。
【背景技術】
【０００２】
充電コネクタ（相手コネクタ）との嵌合面を覆う閉止位置と嵌合面を露出させる開放位置との間を回動可能な蓋部がコネクタハウジングに設けられた車両側コネクタが知られている（特許文献１等参照）。
【先行技術文献】
【特許文献】
【０００３】
【特許文献１】特開２０１２−２２１６１１号公報
【発明の概要】
【発明が解決しようとする課題】
【０００４】
上記のような車両側コネクタでは、蓋部が回動してコネクタハウジングの嵌合面を開閉させる構造である。そこで、蓋部を回動させるための操作スペースをコネクタハウジングの周囲に確保する必要がある。このため、従来の車両側コネクタは、狭いスペースへの設置が困難となる場合があった。
【０００５】
また、例えば、ゴム製のキャップをコネクタハウジングに着脱させる構造とすれば、省スペース化が可能であるが、高いシール性を長期間に亘り確保することが難しく、キャップの着脱操作も煩雑であった。このため、高いシール性を確保しつつ着脱操作性に優れた構造が望まれている。
【０００６】
本発明は、上述した事情に鑑みてなされたものであり、その目的は、高いシール性を確保しつつ操作性に優れたキャップ付きコネクタを提供することにある。
【課題を解決するための手段】
【０００７】
上述した本発明の目的は、下記（１）〜（５）の構成のキャップ付きコネクタにより達成される。
（１）  相手コネクタの端子金具と接続される端子金具を収容するキャビティ部を有する筒状のフード部を備えたコネクタハウジングと、
前記コネクタハウジングの前記フード部に装着されて前記キャビティ部を覆う弾性材料から形成されたキャップと、を備え、
前記キャップは、周縁部に全周にわたって形成された把持部を有する
ことを特徴とするキャップ付きコネクタ。
【０００８】
上記（１）の構成のキャップ付きコネクタによれば、ユーザーは全周にわたって形成された把持部の一か所を把持してキャップをコネクタハウジングから容易に引き離して取り外すことができる。このように、ユーザーが把持する把持部がキャップの全周にわたって設けられているので、キャップの掴み方の自由度が高く、手の大きさや利き手の違いなどに関わらず、良好な操作性を得ることができる。また、周囲に把持部を設けることで、キャップの剛性を十分に確保することができ、しかも、キャップの中央側をコネクタハウジングへの装着時に押圧しやすい平坦形状にできる。
【０００９】
（２）  前記キャビティ部は、筒状に突設され、
前記キャップは、前記キャビティ部が嵌合される筒状リブを有する
ことを特徴とする上記（１）に記載のキャップ付きコネクタ。
【００１０】
上記（２）の構成のキャップ付きコネクタによれば、キャップをコネクタハウジングのフード部へ装着することで、キャップの筒状リブに端子金具を収容するキャビティ部が嵌合する。これにより、キャビティ部を良好にシールして防水性及び防塵性を向上させることができ、キャビティ部内への水及び埃の浸入を確実に防止できる。
【００１１】
（３）  前記筒状リブの内周面には、長手方向に沿って形成されて前記キャビティ部の外周面に弾性変形して密着する複数のリップ部が周方向へ等間隔に設けられている
ことを特徴とする上記（２）に記載のキャップ付きコネクタ。
【００１２】
上記（３）の構成のキャップ付きコネクタによれば、キャップをコネクタハウジングのフード部へ装着することで、筒状リブに形成された複数のリップ部がキャビティ部の外周面に弾性変形して密着する。これにより、筒状リブが、リップ部の弾性力によって生じる摩擦力でキャビティ部を強固に保持することとなり、フード部へキャップを装着した状態に確実に維持させることができる。また、フード部へキャップを装着させる際に、筒状リブの内周面に長手方向に沿って形成されたリップ部によってキャビティ部と筒状リブとを精度良く調心させることができる。
【００１３】
（４）  前記キャビティ部は、中央キャビティ部と、前記中央キャビティ部の周囲に設けられた外周キャビティ部とから構成され、
前記筒状リブは、前記中央キャビティ部が嵌合される中央筒状リブと、前記外周キャビティ部が嵌合される外周筒状リブとから構成され、
前記中央筒状リブが前記外周筒状リブよりも突出されている
ことを特徴とする上記（２）または（３）に記載のキャップ付きコネクタ。
【００１４】
上記（４）の構成のキャップ付きコネクタによれば、キャップをコネクタハウジングのフード部に装着する際に、外周筒状リブよりも先に中央筒状リブに中央キャビティ部が嵌合することで、コネクタハウジングに対してキャップが位置決めされつつガイドされる。これにより、フード部へキャップを装着する際の良好な操作性を得ることができる。
【００１５】
（５）  前記把持部は、外周へ向かって次第に前記コネクタハウジングから離間する方向へ傾斜され、
前記キャップの下部には、前記把持部に形成された水抜き孔を有する
ことを特徴とする上記（１）〜（４）のいずれか１つに記載のキャップ付きコネクタ。
【００１６】
上記（５）の構成のキャップ付きコネクタによれば、把持部が外周へ向かって次第にコネクタハウジングから離間する方向へ傾斜されているので、把持部をより把持し易くできる。ここで、把持部が外周へ向かって次第にコネクタハウジングから離間する方向へ傾斜されていると、特に、コネクタハウジングのフード部が上方へ向くように傾いていることで、フード部に装着したキャップの把持部に水が溜まるおそれがある。しかし、キャップには、把持部に形成された水抜き孔が下部に設けられているので、水抜き孔から水を下方へ導くことができ、把持部に水が溜まるのを抑制できる。
【発明の効果】
【００１７】
本発明によれば、高いシール性を確保しつつ操作性に優れたキャップ付きコネクタを提供できる。
【００１８】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１９】
【図１】本発明の一実施形態に係るキャップ付きコネクタの斜視図である。
【図２】図１に示したキャップ付きコネクタのキャップをコネクタハウジングから取り外した状態の斜視図である。
【図３】図１におけるＡ−Ａ断面図及び一部の拡大図である。
【図４】図１におけるＢ−Ｂ断面図である。
【図５】図１におけるＣ−Ｃ断面図及び一部の拡大図である。
【図６】（ａ）は図１に示したキャップの正面図、（ｂ）は図１に示したキャップをコネクタハウジングへの装着側から視た斜視図である。
【図７】（ａ）は参考例に係るキャップ付きコネクタの斜視図、（ｂ）は（ａ）に示したキャップをコネクタハウジングへの装着側から視た斜視図である。
【発明を実施するための形態】
【００２０】
以下、本発明に係る実施の形態の例を、図面を参照して説明する。
図１及び図２に示すように、本発明の一実施形態に係るキャップ付きコネクタ１０は、コネクタハウジング２０と、キャップ５０と、を主要な構成として有する。キャップ付きコネクタ１０は、例えば、充電コネクタ（相手コネクタ）が嵌合される車両側コネクタとしてハイブリッド車や電気自動車などの車両に装着される。
【００２１】
キャップ付きコネクタ１０は、高電圧の電力を取り扱うため、充電を行わない時には充電コネクタ等（図示略）と結合する相手コネクタ嵌合部２１にキャップ５０が着脱可能に設けられている。キャップ付きコネクタ１０は、「車両インレット」と称すこともできる。
【００２２】
コネクタハウジング２０は、車両の取付穴（図示略）に取り付けられる四角形のフランジ部２２を有する。フランジ部２２には、筒状のフード部２３が突設される。また、フランジ部２２には、フード部２３と反対側に、筒状の電線導出部２４が突設される。電線導出部２４には、バッテリから延びる電線（図示略）が挿通される。電線導出部２４に挿通された電線は、電線側端子金具（図示略）に導体が接続される。
【００２３】
図２及び図３に示すように、コネクタハウジング２０のフード部２３は、円形の筒状に形成されており、その一部である上部に直線状部２３ａを有している。これにより、フード部２３は、正面視で非円形とされている。フード部２３の内方には、充電コネクタ等のコネクタ側端子金具と接続される電線側端子金具を収容する複数のキャビティ部２５が設けられる。フード部２３は、キャビティ部２５を表出させる開口面が相手コネクタ嵌合部２１となる。コネクタハウジング２０には、相手コネクタ嵌合部２１に充電コネクタ等が前方から嵌合される。そして、コネクタハウジング２０に充電コネクタを嵌合することで、キャビティ部２５には充電コネクタのコネクタ側端子金具が挿し込まれ、これにより、電線側端子金具とコネクタ側端子金具とが電気的に接続される。
【００２４】
キャビティ部２５は、円筒状に形成されており、その内部に電線側端子金具が収容される。複数のキャビティ部２５は、中央に配置された中央キャビティ部２５Ａと、この中央キャビティ部２５Ａの周囲に配置された外周キャビティ部２５Ｂとから構成されている。また、フード部２３には、その両側部に、係止突起２７が設けられている。
【００２５】
キャップ５０は、例えば、ゴムやシリコン等の弾性を有する樹脂材料から形成されている。キャップ５０は、コネクタハウジング２０の相手コネクタ嵌合部２１に形成されたフード部２３に対して着脱される。キャップ５０は、車両へ充電するために、コネクタハウジング２０に対して充電コネクタを嵌合させる際にフード部２３から取り外される。そして、キャップ５０は、車両への充電の終了後に、充電コネクタが外されたコネクタハウジング２０のフード部２３に装着される。これにより、コネクタハウジング２０は、内側にキャビティ部２５を有するフード部２３がキャップ５０によって覆われて保護され、水や埃の浸入が抑制される。
【００２６】
図４、図５及び図６の（ａ），（ｂ）に示すように、キャップ５０は、板状部５１を有している。板状部５１は、コネクタハウジング２０のフード部２３への装着側と反対側である表面側が平坦に形成された平面部５１ａとされている。この板状部５１は、その一部である上部に直線部５１ｂを有している。これにより、板状部５１は、コネクタハウジング２０のフード部２３と相似形状の正面視で非円形とされている。
【００２７】
キャップ５０は、把持部５３を有している。把持部５３は、板状部５１と一体に成形されたもので、板状部５１の周囲に全周にわたって設けられている。把持部５３は、板状部５１に対して、外周へ向かってコネクタハウジング２０への装着側と反対側であるコネクタハウジング２０から離間する方向へ傾斜するように形成されている。これにより、キャップ５０は、その表面側が板状部５１と把持部５３とで凹状に形成されている。
【００２８】
図４及び図５の（ａ）に示すように、把持部５３は、取外し側における板状部５１との連結箇所が円弧状に形成されており、これにより、把持部５３は、板状部５１における連結箇所に厚肉部５４を有している。また、把持部５３には、水抜き孔５５が形成されている。この水抜き孔５５は、把持部５３における板状部５１との連結側に形成されており、コネクタハウジング２０にキャップ５０を装着した状態で下部に配置されている。
【００２９】
キャップ５０は、図６の（ｂ）に示すように、板状部５１におけるコネクタハウジング２０のフード部２３への装着側である裏面側に、内環部６１と、外環部６２とを有している。外環部６２は、内環部６１に対して隙間をあけて形成されている。キャップ５０は、内環部６１と外環部６２との間に形成された凹状の部分が、コネクタハウジング２０のフード部２３が嵌合する環状凹部６３とされている。また、キャップ５０には、外環部６２の両側部に、フード部２３の係止突起２７に係止可能な係止部６６が形成されている。
【００３０】
キャップ５０は、内環部６１の内側に、円筒状に形成された複数の筒状リブ６５を有している。複数の筒状リブ６５は、中央に配置された中央筒状リブ６５Ａと、この中央筒状リブ６５Ａの周囲に配置された外周筒状リブ６５Ｂとから構成されている。中央筒状リブ６５Ａは、コネクタハウジング２０の中央キャビティ部２５Ａに対応する位置に形成され、外周筒状リブ６５Ｂは、コネクタハウジング２０の外周キャビティ部２５Ｂに対応する位置に形成されている。中央筒状リブ６５Ａは、外周筒状リブ６５Ｂよりも突出寸法が大きくされている。
【００３１】
図３の拡大図に示すように、筒状リブ６５は、その内周面に、複数（本例では４つ）のリップ部６７を有している。リップ部６７は、筒状リブ６５の内周面において、周方向へ等間隔の位置に形成されている。リップ部６７は、筒状リブ６５の長手方向に沿って直線状に形成されている。筒状リブ６５は、コネクタハウジング２０のキャビティ部２５の外径と略同一の内径を有している。そして、筒状リブ６５は、リップ部６７の先端を通る内径がキャビティ部２５の外径よりも僅かに小さくされている。
【００３２】
次に、上記構造のキャップ付きコネクタ１０におけるコネクタハウジング２０のフード部２３に対するキャップ５０の着脱について説明する。
【００３３】
（キャップ装着時）
コネクタハウジング２０のフード部２３に対してキャップ５０を装着する場合、ユーザーは、キャップ５０の各筒状リブ６５にコネクタハウジング２０の対応するキャビティ部２５が嵌合するように、キャップ５０をコネクタハウジング２０に押し付ける。
【００３４】
ここで、非円形状のフード部２３に対してキャップ５０の板状部５１が相似形状であるので、ユーザーは、目視によってコネクタハウジング２０に対するキャップ５０の取り付け姿勢を容易に確認することができる。また、キャップ５０は、板状部５１の表面側が平坦な平面部５１ａとされているので、ユーザーは、この平面部５１ａを手指で押すことで、キャップ５０をコネクタハウジング２０へ容易に押し付けることができる。
【００３５】
このように、キャップ５０をコネクタハウジング２０へ押し付けると、まず、突出寸法が大きい中央筒状リブ６５Ａに中央キャビティ部２５Ａが嵌合し、コネクタハウジング２０に対するキャップ５０の中心位置が合わされる。その後、中央筒状リブ６５Ａと中央キャビティ部２５Ａとの嵌合部分がガイドとなり、外周筒状リブ６５Ｂに外周キャビティ部２５Ｂが嵌合し、さらに、環状凹部６３にフード部２３が嵌合される。また、キャップ５０の両側の係止部６６がフード部２３の両側の係止突起２７に係止される。
【００３６】
また、キャップ５０をコネクタハウジング２０へ装着すると、各筒状リブ６５に形成されたリップ部６７がキャビティ部２５の外周面に接触して圧縮するように弾性変形する。これにより、筒状リブ６５は、リップ部６７がキャビティ部２５の外周面に密着するとともにリップ部６７の弾性力によって生じる摩擦力でキャビティ部２５を強固に保持することとなる。しかも、コネクタハウジング２０とキャップ５０との間には、環状凹部６３へ嵌合したフード部２３の嵌合力及びフード部２３の係止突起２７に係止された係止部６６の係止力が生じる。これにより、キャップ５０は、コネクタハウジング２０へ確実に装着された状態となる。
【００３７】
この装着状態において、コネクタハウジング２０は、各キャビティ部２５が筒状リブ６５によって覆われ、さらに、フード部２３が環状凹部６３に嵌合されることで、良好にシールされることとなり、キャビティ部２５内への水及び埃の浸入が確実に防止された状態となる。
【００３８】
（キャップ取り外し時）
コネクタハウジング２０からキャップ５０を取り外す場合、ユーザーは、キャップ５０の周縁部に形成された把持部５３を掴みコネクタハウジング２０から引き離す。すると、キャップ５０の環状凹部６３からフード部２３が抜き出されるとともに、各筒状リブ６５からキャビティ部２５が抜き出される。これにより、コネクタハウジング２０のフード部２３からキャップ５０が取り外されて相手コネクタ嵌合部２１が露出され、充電コネクタの嵌合が可能とされる。
【００３９】
このとき、キャップ５０は、全周にわたって把持部５３を有するため、ユーザーは全周の把持部５３の一か所を把持してキャップ５０をコネクタハウジング２０から容易に引き離すことができる。また、把持部５３の板状部５１との連結箇所に厚肉部５４が形成されているので、把持部５３を引張ることでキャップ５０をコネクタハウジング２０から引き離す際に、把持部５３と板状部５１との連結箇所が損傷することが抑制される。
【００４０】
上述したように、本実施形態に係るキャップ付きコネクタ１０では、コネクタハウジング２０に対して弾性材料からなるキャップ５０を着脱可能としたことで、コネクタハウジング２０の周囲にキャップ５０の操作スペースを確保する必要がなくなる。したがって、狭いスペースへの設置が可能である。
【００４１】
ここで、弾性材料からなる着脱可能なキャップを備えたコネクタの参考例を説明する。図７の（ａ）に示すように、参考例に係るコネクタ１は、コネクタハウジング２０のフード部２３に対して着脱可能なキャップ２を備えている。キャップ２は、例えば、ゴムやシリコン等の弾性を有する樹脂材料から形成されている。図７の（ｂ）に示すように、キャップ２は、内環部４と外環部６とでフード部２３への装着側がフード部２３を覆う凹状に形成されている。内環部４の外周面には、環状リップ部５が周方向に沿って突設されている。キャップ２は、この環状リップ部５が装着時にフード部２３の内周面に接触し、圧縮されることで、フード部２３に保持される。また、キャップ２には、取外し側である表面側に、縦方向に沿う持ち手３が形成されている。このようなキャップ２を備えたコネクタ１の場合も、コネクタハウジング２０の周囲にキャップ５０の操作スペースを確保する必要がなく、狭いスペースへの設置が可能である。
【００４２】
ところで、この参考例に係るコネクタ１では、ユーザーは、キャップ２の中央の持ち手３を把持してコネクタハウジング２０に対して着脱させることとなる。つまり、このコネクタ１では、キャップ２を把持する場所が中央の一か所の持ち手３に限定されているため、キャップ２の掴み方の自由度が低く、手の大きさや利き手の違いなどによって操作性が悪く感じられることがある。また、コネクタハウジング２０のフード部２３を覆うようにキャップ２が装着されるため、フード部２３に対してキャップ２を傾きなく真っ直ぐに挿抜しなければならず、したがって、着脱作業が煩雑であり、また、着脱時にかなり強い挿抜力が必要となる。また、フード部２３を覆うだけのキャップ２では、フード部２３内の各キャビティ部２５の高いシール性は望めない。更に、フード部２３の内周面に接触する環状リップ部５は、時間が経つにつれて劣化し、キャップ内側に常に変形した状態になってしまう可能性がある。そのため、キャップ２の保持力や防水・防塵性が著しく低下するおそれがある。
【００４３】
上述した本実施形態に係るキャップ付きコネクタ１０によれば、キャップ５０が、周縁部に全周にわたって形成された把持部５３を有する。したがって、ユーザーは全周にわたって形成された把持部５３の一か所を把持してキャップ５０をコネクタハウジング２０から容易に引き離して取り外すことができる。このように、ユーザーが把持する把持部５３がキャップ５０の全周にわたって設けられているので、キャップ５０の掴み方の自由度が高く、手の大きさや利き手の違いなどに関わらず、良好な操作性を得ることができる。また、周囲に把持部５３を設けることで、キャップ５０の剛性を十分に確保することができ、しかも、キャップ５０の中央側をコネクタハウジング２０への装着時に押圧しやすい平坦形状の平面部５１ａにできる。
【００４４】
また、キャップ５０をコネクタハウジング２０のフード部２３へ装着することで、キャップ５０の筒状リブ６５に端子金具を収容するキャビティ部２５が嵌合する。これにより、キャビティ部２５を良好にシールして防水性及び防塵性を向上させることができ、キャビティ部２５内への水及び埃の浸入を確実に防止できる。
【００４５】
しかも、キャップ５０をコネクタハウジング２０のフード部２３へ装着することで、筒状リブ６５に形成された複数のリップ部６７がキャビティ部２５の外周面に弾性変形して密着する。これにより、筒状リブ６５が、リップ部６７の弾性力によって生じる摩擦力でキャビティ部２５を強固に保持することとなり、フード部２３へキャップ５０を装着した状態に確実に維持させることができる。また、フード部２３へキャップ５０を装着させる際に、筒状リブ６５の内周面に長手方向に沿って形成されたリップ部６７によってキャビティ部２５と筒状リブ６５とを精度良く調心させることができる。
【００４６】
また、キャップ５０をコネクタハウジング２０のフード部２３に装着する際に、外周筒状リブ６５Ｂよりも先に中央筒状リブ６５Ａに中央キャビティ部２５Ａが嵌合することで、コネクタハウジング２０に対してキャップ５０が位置決めされつつガイドされる。これにより、フード部２３へキャップ５０を装着する際の良好な操作性を得ることができる。
【００４７】
さらに、把持部５３が外周へ向かって次第にコネクタハウジング２０から離間する方向へ傾斜されているので、把持部５３をより把持し易くできる。ここで、把持部５３が外周へ向かって次第にコネクタハウジング２０から離間する方向へ傾斜されていると、特に、コネクタハウジング２０のフード部２３が上方へ向くように傾いていることで、フード部２３に装着したキャップ５０の把持部５３に水が溜まるおそれがある。しかし、キャップ５０には、把持部５３に形成された水抜き孔５５が下部に設けられているので、水抜き孔５５から水を下方へ導くことができ、把持部５３に水が溜まるのを抑制できる。
【００４８】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４９】
ここで、上述した本発明に係るキャップ付きコネクタの実施形態の特徴をそれぞれ以下［１］〜［５］に簡潔に纏めて列記する。
［１］  相手コネクタの端子金具と接続される端子金具を収容するキャビティ部（２５）を有する筒状のフード部（２３）を備えたコネクタハウジング（２０）と、
前記コネクタハウジング（２０）の前記フード部（２３）に装着されて前記キャビティ部（２５）を覆う弾性材料から形成されたキャップ（５０）と、を備え、
前記キャップ（５０）は、周縁部に全周にわたって形成された把持部（５３）を有する
ことを特徴とするキャップ付きコネクタ（１０）。
［２］  前記キャビティ部（２５）は、筒状に突設され、
前記キャップ（５０）は、前記キャビティ部（２５）が嵌合される筒状リブ（６５）を有する
ことを特徴とする上記［１］に記載のキャップ付きコネクタ（１０）。
［３］  前記筒状リブ（６５）の内周面には、長手方向に沿って形成されて前記キャビティ部（２５）の外周面に弾性変形して密着する複数のリップ部（６７）が周方向へ等間隔に設けられている
ことを特徴とする上記［２］に記載のキャップ付きコネクタ（１０）。
［４］  前記キャビティ部（２５）は、中央キャビティ部（２５Ａ）と、前記中央キャビティ部（２５Ａ）の周囲に設けられた外周キャビティ部（２５Ｂ）とから構成され、
前記筒状リブ（６５）は、前記中央キャビティ部（２５Ａ）が嵌合される中央筒状リブ（６５Ａ）と、前記外周キャビティ部（２５Ｂ）が嵌合される外周筒状リブ（６５Ｂ）とから構成され、
前記中央筒状リブ（６５Ａ）が前記外周筒状リブ（６５Ｂ）よりも突出されている
ことを特徴とする上記［２］または［３］に記載のキャップ付きコネクタ（１０）。
［５］  前記把持部（５３）は、外周へ向かって次第に前記コネクタハウジング（２０）から離間する方向へ傾斜され、
前記キャップ（５０）の下部には、前記把持部（５３）に形成された水抜き孔（５５）を有する
ことを特徴とする上記［１］〜［４］のいずれか１つに記載のキャップ付きコネクタ（１０）。
【符号の説明】
【００５０】
１０…キャップ付きコネクタ
２０…コネクタハウジング
２３…フード部
２５…キャビティ部
２５Ａ…中央キャビティ部
２５Ｂ…外周キャビティ部
５０…キャップ
５３…把持部
５５…水抜き孔
６５…筒状リブ
６５Ａ…中央筒状リブ
６５Ｂ…外周筒状リブ
６７…リップ部
【図１】
2019185916.tif 000003
【図２】
2019185916.tif 000004
【図３】
2019185916.tif 000005
【図４】
2019185916.tif 000006
【図５】
2019185916.tif 000007
【図６】
2019185916.tif 000008
【図７】
2019185916.tif 000009